(57)【要約】【課題】太陽光発電モジュールが設置できない領域が複雑な形状を有していても太陽光発電モジュールのレイアウトを算出できることを課題とする。【解決手段】太陽光発電システムの設置に関する見積もり見積もり対象の家屋における屋根形状と、屋根において、太陽光発電モジュールの配置対象外の領域である対象外領域が、五角形以上の形状または円形で入力される入力部１１３と、入力された屋根形状および対象外領域を基に、太陽光発電モジュールのレイアウトを算出するレイアウト算出部１０３と、算出したレイアウトを基に、太陽光発電システムの見積もりを算出する見積もり算出部１０４と、入力された屋根形状および対象外領域を表示するとともに、算出された太陽光発電モジュールのレイアウトを表示部１１４に表示させる表示処理部１０２と、を有することを特徴とする【選択図】図１
2013222891.tif 000002
【特許請求の範囲】
【請求項１】
太陽光発電システムの設置に関する見積もり対象の家屋において、上面視した屋根の形状である屋根形状と、前記屋根において、太陽光発電モジュールの配置対象外の領域であり、五角形以上の多角形または円形の対象外領域と、が入力される入力部と、
入力された前記屋根形状および前記対象外領域を基に、前記太陽光発電モジュールのレイアウトを算出するレイアウト算出部と、
入力された前記屋根形状および前記対象外領域を表示部に表示させるとともに、算出された前記太陽光発電モジュールのレイアウトを表示部に表示させる表示処理部と、
を有することを特徴とする太陽光発電レイアウト装置。
【請求項２】
前記表示処理部は、
前記対象外領域が、前記屋根形状における輪郭線をまたいで入力された場合、前記対象外領域の入力を無効とする
ことを特徴とする請求項１に記載の太陽光発電レイアウト装置。
【請求項３】
前記表示処理部は、
前記入力部を介して、入力された前記屋根形状において軒先が入力されると、該入力された軒先を前記表示部に表示する
ことを特徴とする請求項１または請求項２に記載の太陽光発電レイアウト装置。
【請求項４】
前記屋根形状の入力は、人工衛星による航空写真である衛星航空写真に対して行われる
ことを特徴とする請求項１から請求項３のいずれか一項に記載の太陽光発電レイアウト装置。
【請求項５】
太陽光発電システムの設置に関する見積もりを算出する太陽光発電レイアウト方法であって、
太陽光発電レイアウト装置が、
入力部を介して、前記見積もり対象の家屋において、上面視した屋根の形状である屋根形状が入力され、
前記屋根において、太陽光発電モジュールの配置対象外の領域である対象外領域が、五角形以上の多角形または円形の形状で、入力部を介して入力され、
入力された前記屋根形状および前記対象外領域を表示部に表示し、
前記屋根形状および前記対象外領域を基に、太陽光発電モジュールのレイアウトを算出するとともに、算出した太陽光発電モジュールのレイアウトを前記表示部に表示する、
ことを特徴とする太陽光発電レイアウト方法。
【請求項６】
太陽光発電レイアウト装置は、
前記対象外領域が、前記屋根形状における輪郭線をまたいで入力された場合、前記対象外領域の入力を無効とする
ことを特徴とする請求項５に記載の太陽光発電レイアウト方法。
【発明の詳細な説明】
【技術分野】
【０００１】
本発明は、太陽光発電システムの設置に関するレイアウトを算出する太陽光発電レイアウト装置および太陽光発電レイアウト方法の技術に関する。
【背景技術】
【０００２】
太陽光発電システムを設置する前に、顧客に対して設置費用の見積もりが行われる。このような見積もりが行われるためには、太陽光発電システムが設置される家屋の屋根形状（以下、適宜屋根形状と称する）に関する情報が必要となる。なぜならば、直列に接続できる太陽光発電モジュールの数は限られており、所定数の直列接続された太陽光発電モジュールを並列接続する必要があるためである。このようにするのは、すべての太陽光発電モジュールを直列に接続すると、太陽光発電モジュールで発電された直流の電気を交流に変換するパワーコンディショナの最大動作電圧を超えてしまうおそれがあるためである。
【０００３】
このような太陽光発電モジュールのレイアウトを算出する技術として特許文献１〜３に記載の技術がある。
特許文献１には、太陽光発電モジュールの配置に応じて、太陽光発電モジュールを接続するケーブルのレイアウトを自動的に算出する太陽電池モジュールの配線経路設計装置が開示されている。
【０００４】
特許文献２には、天窓や、煙突や、出窓など太陽光発電モジュールを設置することができない領域である設置不要領域（本願の対象外領域に対応）を指定し、その設置不要領域を避けるように太陽光発電モジュールのレイアウトを算出する技術が開示されている。
【０００５】
特許文献３には、航空写真を基に家屋の屋根形状を指定し、指定した屋根形状を基に太陽光発電モジュールのレイアウトを算出するソーラーパネル販売支援システムが開示されている。
【先行技術文献】
【特許文献】
【０００６】
【特許文献１】特許第３８０５６８４号公報
【特許文献２】特開２００６−３０１６９９号公報
【特許文献３】特開２０１０−９２２２３号公報
【発明の概要】
【発明が解決しようとする課題】
【０００７】
特許文献１に記載の技術は、太陽光発電モジュールそのものレイアウトの算出を行う技術を含んでいない。
また、特許文献２に記載の技術は、設置不要領域の形状が単純な形状に限られており、設置不要領域が五角形以上の場合のように複雑な形状を有することに対応できていない。
さらに、特許文献３に記載の技術は、天窓や、煙突や、出窓など太陽光発電モジュールが設置できない領域については考慮していない。
【０００８】
このような背景に鑑みて本発明がなされたのであり、本発明は、太陽光発電モジュールが設置できない領域が複雑な形状を有していても太陽光発電モジュールのレイアウトを算出できることを課題とする。
【課題を解決するための手段】
【０００９】
前記した課題を解決するため、本発明は、太陽光発電システムの設置に関する見積もり対象の家屋において、上面視した屋根形状と、この屋根において、太陽光発電モジュールの配置対象外の領域である対象外領域（五角形以上または円形）が入力部を介して入力され、入力された屋根形状と、対象外領域を基に太陽光発電モジュールのレイアウトを算出することを特徴とする。
その他の解決手段については、実施形態において記載する。
【発明の効果】
【００１０】
本発明によれば、太陽光発電モジュールが設置できない領域が複雑な形状を有していても太陽光発電モジュールのレイアウトを算出することができる。
【図面の簡単な説明】
【００１１】
【図１】本実施形態に係る太陽光発電見積もりサーバの機能ブロック図である。
【図２】本実施形態に係る太陽光発電見積もりサーバのハードウェア構成を示す図である。
【図３】本実施形態に係る太陽光発電見積もりシステムの構成例を示す図である。
【図４】本実施形態に係る太陽光発電見積もりサーバにおける処理の手順を示すフローチャートである。
【図５】所在地情報入力画面の例を示す図である。
【図６】屋根情報入力画面の例を示す図である。
【図７】太陽光発電モジュールレイアウト画面の例を示す図である。
【図８】架台レイアウト画面の例を示す図である。
【図９】ケーブルレイアウト生成画面の例を示す図（その１）である。
【図１０】ケーブルレイアウト生成画面の例を示す図（その２）である。
【図１１】屋根形状情報入力処理の詳細な手順を示すフローチャートである。
【図１２】屋根形状指定画面の例を示す図である。
【図１３】家屋指定ボタンが選択入力された後の屋根形状指定画面である。
【図１４】屋根形状の指定手順を示す図である。
【図１５】軒先の指定手順を示す図である。
【図１６】対象外領域の指定手順を示す図である。
【図１７】屋根形状、軒先および対象外領域が指定された屋根形状指定画面である。
【発明を実施するための形態】
【００１２】
次に、本発明を実施するための形態（「実施形態」という）について、適宜図面を参照しながら詳細に説明する。
【００１３】
［太陽光発電見積もりサーバ］
図１は、本実施形態に係る太陽光発電見積もりサーバの機能ブロック図である。
太陽光発電レイアウト装置である太陽光発電見積もりサーバ１は、情報を処理する処理部１００と、マウス１１や、キーボード１１２などの入力部１１３と、ディスプレイなどの表示部１１４と、ＨＤ（Hard Disk）などの記憶部１２１とを有する。
処理部１００は、情報取得部１０１と、表示処理部１０２と、レイアウト算出部１０３と、見積もり算出部１０４とを有する。
情報取得部１０１は、航空写真管理サーバ２（図３）や、気象情報サーバ３（図３）などからネットワーク５（図３）を介して情報を取得する。
表示処理部１０２は、各情報を表示部１１４に表示し、入力部１１３によって入力された情報を取得する。
レイアウト算出部１０３は、情報取得部１０１が取得した情報や、表示処理部１０２が取得した情報などを基に、太陽光発電モジュール、太陽光発電モジュールを固定する架台、太陽光発電モジュールを接続するケーブルのレイアウトを算出する。
見積もり算出部１０４は、入力部１１３によって入力された情報や、レイアウト算出部１０３が算出したレイアウトの情報を基に、太陽光発電システムの設置費用の見積もりを算出する。ここで、太陽光発電システムは、太陽光による発電を行う太陽光発電モジュールや、太陽光発電モジュールを指示する架台や、ケーブルや、太陽光発電モジュールで発電された電気を直流から、交流に変換するパワーコンディショナなどを含んでいる。
【００１４】
図２は、本実施形態に係る太陽光発電見積もりサーバのハードウェア構成を示す図である。
太陽光発電見積もりサーバ１は、例えばＰＣ（Personal Computer）であり、ＣＰＵ（Central Processing Unit）２０１や、ＲＡＭ（Random Access Memory）２０２や、ＲＯＭ（Read Only Memory）２０３を有する。さらに、太陽光発電見積もりサーバ１は、ネットワーク５（図３）との通信を行う通信インタフェース２０４や、図２の記憶部１２１に相当するＨＤ２０５を有する。各部２０１〜２０５はバス２０６によって互いに接続されている。
図１の処理部１００および各部１０１〜１０４は、ＲＯＭ２０３や、ＨＤ２０５に格納されたプログラムが、ＲＡＭ２０２に展開され、ＣＰＵ２０１によって実行されることによって具現化する。
【００１５】
［太陽光発電見積もりシステム］
図３は、本実施形態に係る太陽光発電見積もりシステムの構成例を示す図である。
太陽光発電見積もりシステム１０は、太陽光発電見積もりサーバ１と、航空写真管理センタ２０に設置されている航空写真管理サーバ２と、気象センタ３０に設置されている気象情報サーバ３とが互いにネットワーク５で接続されている。
太陽光発電見積もりサーバ１については、図１および図２で説明済みであるので、ここでは説明を省略する。
航空写真管理サーバ２は、人工衛星４が撮影した航空写真である衛星航空写真を受信・蓄積している。一般的に、航空写真管理サーバ２は、蓄積している衛星航空写真をＷｅｂなどで公開している。
気象情報サーバ３は、観測点における日射量などの気象情報を蓄積・管理している。一般的に、気象情報サーバ３は、蓄積している気象情報をＷｅｂなどで公開している。
【００１６】
《全体処理》
以下、フローチャートと画面例を参照しつつ、適宜図１および図３を参照して、本実施形態に係る太陽光発電見積もりサーバ１における処理を説明する。
［フローチャート］
図４は、本実施形態に係る太陽光発電見積もりサーバにおける処理の手順を示すフローチャートである。
まず、ユーザである顧客担当者が太陽光発電の見積もりを行うためのプログラムを起動すると、表示処理部１０２は、所在地情報入力画面５００（図５）を表示部１１４に表示する。そして、所在地情報入力画面５００を見ながら、ユーザが入力部１１３を介して、見積もりを行いたい所在地の情報である所在地情報が入力される（Ｓ１０１）とともに、記憶部１２１にも記憶される。ステップＳ１０１の詳細は、図５を参照して後記する。
所在地情報が入力されると、表示処理部１０２は、屋根のタイプ、材質、角度などを入力するための屋根情報入力画面６００（図６）を表示部１１４に表示する。そして、屋根情報入力画面６００を見ながら、ユーザが入力部１１３を介して、屋根情報が記憶部１２１に入力される（Ｓ１０２）とともに、記憶部１２１にも記憶される。ステップＳ１０２の詳細は、図６を参照して後記する。
【００１７】
次に、情報取得部１０１は、所在地情報を基に、所在地近辺の衛星航空写真を航空写真管理サーバ２から取得する。そして、表示処理部１０１は、情報取得部１０１が取得した衛星航空写真を表示部１１４に表示する。そして、図１１以降で後記する屋根形状指定画面１２００などをを見ながら、ユーザが入力部１１３を介して、屋根形状に関する情報である屋根形状情報が入力され、表示処理部１０３は入力された屋根形状情報を表示部１１４に表示する（Ｓ１０３）。屋根形状情報は記憶部１２１にも記憶される。ステップＳ１０３の詳細は、図１１〜図１７を参照して後記する。
【００１８】
その後、太陽光発電システムのオプション情報や、太陽光発電モジュールの設定などが入力部を介して行われる（Ｓ１０４）。
そして、レイアウト算出部１０３が、屋根情報、屋根形状情報、太陽光発電モジュールの情報などを基に、レイアウトを算出する。屋根情報、屋根形状情報、太陽光発電モジュールの情報については後記して説明する。続いて、表示処理部１０２が、レイアウト算出部１０で算出したレイアウトの情報であるレイアウトを表示部１１４に表示する（Ｓ１０５）。ここで、算出されるレイアウトは、太陽光発電モジュールのレイアウト、太陽光発電モジュールを固定する架台のレイアウト、太陽光発電モジュールを接続するケーブルのレイアウトなどを含んでいる。ステップＳ１０４の処理は、図７〜図１０を参照して後記する。
【００１９】
さらに、見積もり算出部１０４が、レイアウト情報、太陽光発電モジュールの情報、オプション情報などを基に太陽光発電システムの見積もりを算出し、表示処理部１０２が算出された見積もりの結果を表示部１１４に表示する（Ｓ１０６）。
【００２０】
［画面例］
次に、図５〜図１０を参照して、図４のステップＳ１０１、Ｓ１０２，Ｓ１０４における各画面の説明を行う。ちなみに、図４のステップＳ１０３の処理は、本願の特徴的な部分であり、その詳細は図１１〜図１７で後記される。
（所在地情報入力画面）
図５は、図４のステップＳ１０１における所在地情報の入力を行うための所在地情報入力画面の例を示す図である。
所在地情報入力画面５００は、住所入力エリア５０１、地図選択エリア５０２、観測地点入力エリア５０３を有している。
対象家屋の所在地は、住所入力エリア５０１、地図選択エリア５０２のどちらか一方を介して入力される。ここで、対象家屋とは、太陽光発電システムの設置が予定され、見積もりの対象となっている家屋である。
住所入力エリア５０１では、郵便番号入力窓５１１や、住所入力窓５１２や、番地入力窓５１３などに対象家屋の住所がテキスト入力される。
地図選択エリア５０２では、都道府県地図に表記されている地名が、マウス１１１を介して選択されることによって対象家屋の住所が郵便番号入力窓５１１や、住所入力窓５１２にテキスト入力される。図５の例では「ひたちなか市」が選択されている。図５では、例示として茨城県の地図と茨城県下の市町村が表示されているが、選択されるごとに日本→都道府県→市区町村→字の順に拡大表示されいく。そして、入力部１１３を介して最終的に対象家屋の番地が番地入力窓５１３などに入力されていくことによって、対象家屋の住所が指定される。
なお、住所登録ボタン５１４がマウス１１１を介して選択入力されると、住所入力窓５１２や、番地入力窓５１３に入力されている情報が所在地情報として記憶部１２１に格納される。
また、キャンセルボタン５１５がマウス１１１を介して選択入力されると、住所入力窓５１２や、番地入力窓５１３に入力されている情報が削除され、ユーザは所在地情報の入力をやり直すことができる。
【００２１】
図５に示す観測地点入力エリア５０３は、所在地情報が入力されると、情報取得部１０１が自動的に気象情報サーバ３の検索を行って、対象家屋の住所に最も近い気象庁の観測地点が入力される。ここで入力される情報は、対象家屋における日射量を推定するための気象観測地点上の情報である。表示処理部１０２は、住所入力エリア５０１や、地図選択エリア５０２を介して指定された対象家屋の所在地に最も近い観測地点を検索し、観測地点入力エリア５０３に表示する。そして、ユーザが観測地点の変更する必要があると判断した場合、入力部１１３を介して観測地点入力エリア５０３の入力窓で観測地点の入力または選択が可能である。
情報取得部１０１は観測地点入力エリア５０３を基に、気象情報サーバ３から日射量などに関する情報を取得する。
【００２２】
（屋根情報入力画面）
図６は、図４のステップＳ１０２における屋根情報の入力を行うための屋根情報入力画面の例を示す図である。
屋根情報入力画面６００は、屋根タイプ入力エリア６０１、材質入力エリア６０２、角度入力エリア６０３を有している。
屋根タイプ入力エリア６０１では、切り妻、寄棟、入母屋など屋根のタイプがイラストで表示されている。そして、各イラストには、ラジオボタンが表示されており、マウス１１１を介してラジオボタンが選択入力されることによって、そのラジオボタンに対応している屋根タイプが対象家屋の屋根タイプとして指定される。
【００２３】
材質入力エリア６０２では、化粧スレート（カラーベスト／コロニアル）や、天然スレート（玄昌石）など、屋根の材質名が表示されている。そして、各材質名にはラジオボタンが表示されており、マウス１１１を介してラジオボタンが選択入力されることによって、そのラジオボタンに対応している材質が対象家屋の屋根材質として指定される。
【００２４】
角度入力エリア６０３では、なだらか、標準、やや急など屋根の角度に関するイラストと、角度入力窓６３１や、勾配入力窓６３２が表示されている。屋根の角度は、イラストと共に表示されているラジオボタンが選択されるか、角度入力窓６３１に屋根の角度がテキスト入力されたり、勾配入力窓６３２に屋根の勾配がテキスト入力されたりすることで指定される。
なお、角度入力窓６３１や、勾配入力窓６３２は任意の角度や、勾配を入力する際に用いられるものである。また、角度入力窓６３１や、勾配入力窓６３２は任意角度のイラストに表示されているラジオボタンがマウス１１１を介して選択入力されることで入力可能となるものである。
【００２５】
（太陽光発電モジュールレイアウト画面）
図７は、図４のステップＳ１０５におけるレイアウト情報を表示するための画面の１つである太陽光発電モジュールレイアウト画面の例を示す図である。なお、図７〜図９における符号１６２３は、太陽光発電モジュール７０１を設置することができない領域である対象外領域である。対象外領域１６２３の指定については、後記して説明する。
太陽光発電モジュールレイアウト画面７００では、ステップＳ１０３で指定された屋根形状（図１１〜図１７で後記）を基に算出された太陽光発電モジュール７０１のレイアウトが表示されている。
なお、それぞれの太陽光発電モジュール７０１には、対象外領域を避けるように配置され、さらに、各太陽光発電モジュールを識別するための番号が自動的に付される。ここで、対象外領域については、後記して説明するが、天窓や、出窓や、煙突など太陽光発電モジュール７０１を設置することのできない領域である。
なお、太陽光発電モジュール７０１のレイアウトの算出は特許文献２に記載の技術などを用いることで実現可能である。
【００２６】
（架台レイアウト画面）
図８は、図４のステップＳ１０５におけるレイアウト情報を表示するための画面の１つである架台レイアウト画面の例を示す図である。
架台レイアウト画面８００では、図７における太陽光発電モジュールのレイアウトを基に、太陽光発電モジュール７０１を屋根に固定するための架台８０１のレイアウトが表示されている。
なお、架台８０１のレイアウトの算出は、図７における太陽光発電モジュール７０１のレイアウトを基に容易に実現可能である。
【００２７】
（ケーブルレイアウト画面）
図９および図１０は、図４のステップＳ１０５におけるレイアウト情報表示するための画面の１つであるケーブルレイアウト生成画面の例を示す図である。
ケーブルレイアウト生成画面９００は、太陽光発電モジュール指定エリア９０１と接続状況表示エリア９０２とを有している。
ケーブルレイアウトの生成は以下の手順で生成される。
（ａ１）入力部１１３を介して、太陽光発電モジュール指定エリア９０１の各選択窓に太陽光発電モジュール７０１の番号が入力される。ここで入力される番号は、図７で各太陽光発電モジュール７０１に付された番号である。
図９の例では、「経路１」として太陽光発電モジュールの番号「１」→「２」→「３」の順で太陽光発電モジュールの接続が指定されており、入力作業の途中を示している。
ここで、「経路：１」、「経路：２」とは、太陽光発電モジュール７０１が直列に接続される単位である。各経路は並列に接続される。
【００２８】
（ａ２）表示処理部１０２は、指定された太陽光発電モジュール７０１の接続状態を、図１０に示すように接続状況表示エリア９０２に表示する。
なお、入力部１１３を介して接続状況表示エリア９０２の太陽光発電モジュールが選択されることにより、接続が指定されてもよい。
【００２９】
図１０の例では、「経路：１」として番号「１」、「２」、「３」、「４」の順に太陽光発電モジュール接続され、１つの経路を形成している。また、「経路：２」として番号「５」、「７」、「６」の順に太陽光発電モジュールが接続され１つの経路を形成している。さらに、「経路：３」として番号「８」、「９」の順に太陽光発電モジュールが接続され１つの経路を形成している。なお、「太陽光発電モジュール指定エリア９０１において「経路：３」の経路表示は「経路：２」の下に隠れている。隠れている「経路：３」については、ユーザが太陽光発電モジュール指定エリア９０１の横に表示されているカーソルを操作することで、表示することができる。
【００３０】
《屋根形状情報入力処理》
［フローチャート］
図１１は、図４のステップＳ１０３における屋根形状情報入力処理の詳細な手順を示すフローチャートである。
まず、図４のステップＳ１０１で指定された家屋の所在地情報を基に、情報取得部１０１が航空写真管理サーバ２から所在地近辺の衛星航空写真を取得する。そして、表示処理部１０２は、取得された所在地近辺の衛星航空写真を、表示部１１４に表示されている屋根形状指定画面１２００（図１２）に表示する（Ｓ２０１）。
そして、入力部１１３を介して、対象家屋が選択される（Ｓ２０２）。ステップＳ２０１，Ｓ２０２の詳細は、図１２を参照して後記する。
続いて家屋指定ボタン１２１１（図１２）が、入力部１１３を介して入力選択されると、表示処理部１０２は、対象家屋を高解像度化した上で拡大表示する（Ｓ２０３）。ステップＳ２０３については、図１３を参照して後記する。なお、画像の高解像度化は、既存の技術が使用可能である。
【００３１】
次に、入力部１１３を介して屋根形状が指定される（Ｓ２０４）。ステップＳ２０４の処理は、図１４を参照して後記する。
続いて、入力部１１３を介して軒先の指定が行われる（Ｓ２０５）。ステップＳ２０５の処理は、図１５を参照して後記する。
【００３２】
続いて、入力部１１３を介して対象外領域の指定が行われる（Ｓ２０６）。ステップＳ２０６の処理は、図１６を参照して後記する。
【００３３】
そして、レイアウト算出部１０３は、ステップＳ２０３における拡大率や、ステップＳ１０２で入力された屋根情報などを基に、屋根形状、軒先、対象外領域における各辺のサイズを算出する（Ｓ２０７）。算出された屋根形状、軒先、対象外領域の形状、サイズに関する情報は、屋根形状情報として記憶部１２１に格納される。
続いて、表示処理部１０２は、図１３に示す屋根形状指定ボタン１３１１がマウスを介して選択入力されたか否かを判定することで、屋根形状情報入力処理を継続するか否かを判定する（Ｓ２０８）。
ステップＳ２０８の結果、屋根形状情報入力処理を継続する場合（Ｓ２０８→Ｙｅｓ）、つまり、他の屋根面についても屋根形状情報の入力を行う場合、処理部１００はステップＳ２０４に処理を戻す。
ステップＳ２０８の結果、屋根形状情報入力処理を継続しない場合（Ｓ２０８→Ｎｏ）、入力部１１３を介して図１３の登録ボタン１３１５が選択入力されることによって、指定された屋根形状、軒先、対象外領域に関する情報が屋根形状情報として記憶部１２１に格納される。そして、処理部１００は図４のステップＳ１０４へ処理をリターンする。
【００３４】
［画面例］
ここで、図１２〜図１７を参照して、図１１のステップＳ２０１〜Ｓ２０５における画面例を説明する。
（屋根形状指定画面）
図１２は、ステップＳ２０１，Ｓ２０２における屋根形状指定画面の例を示す図である。
屋根形状指定画面１２００は、航空写真表示エリア１２０１と、家屋指定ボタン１２１１と、キャンセルボタン１２１２と、戻りボタン１２１３とを有する。
航空写真表示エリア１２０１には、図５の所在地情報入力画面で入力された対象家屋の所在地近辺の衛星航空写真が表示されている。この衛星航空写真は、前記したように航空写真管理サーバ２から情報取得部１０１が取得されたものである。
ユーザは、航空写真表示エリア１２０１に表示されている衛星航空写真において、対象家屋１２２１をマウス１１１で選択する。すると、表示処理部１０２は、指定された対象家屋１２２１の写真に指定マーク１２０２を付す。その後、マウス１１１を介して家屋指定ボタン１２１１が選択入力される。
なお、マウス１１１を介して、キャンセルボタン１２１２が選択入力されると、指定マーク１２０２が消え、ユーザは対象家屋１２２１の指定をやり直すことができる。戻りボタン１２１３は、前の処理画面に戻るためのボタンである。
【００３５】
（屋根形状指定画面）
図１３は、図１２における家屋指定ボタンが選択入力された後の屋根形状指定画面である。図１３の屋根形状指定画面１３００は、図１１のステップＳ２０３で表示される画面である。
図１３における屋根形状指定画面１３００は、航空写真表示エリア１３０１と、屋根形状指定ボタン１３１１と、軒先指定ボタン１３１２と、対象外領域指定ボタン１３１３と、やり直しボタン１３１４と、登録ボタン１３１５と、キャンセルボタン１３１６とを有する。各ボタン１３１１〜１３１５については、適宜後記して説明する。
航空写真表示エリア１３００には、図１２の屋根形状指定画面１２００で指定された対象家屋の画像（以下、対象家屋１２２１と称する）が、高解像度化処理を行われた上で拡大表示されている。この対象家屋は上面視した形状で表示されている。図１３に示されるように、対象家屋１２２１は、南側屋根１３２１と、北側屋根１３２２とを有している。以下、ユーザは、この上面視した対象家屋に対し、以下の処理を行う。
そして、ユーザが表示されている拡大された対象家屋１２２１の衛星航空写真に対し、図１４〜図１６における処理を行うことで屋根形状、軒先、対象外領域が指定される。
【００３６】
図１４は、図１１のステップＳ２０４における屋根形状の指定手順を示す図である。ここで、図１４〜図１６における家屋の屋根は、対象家屋１２２１における南側屋根１３２１である。
図１４における屋根形状の指定は、図１３における屋根形状指定ボタン１３１１がマウス１１１によって選択入力されることにより開始する。このとき、軒先指定ボタン１３１２（図１３）、対象外領域指定ボタン１３１３（図１３）が非活性の状態となってもよい。
まず、図１４（ａ）に示すように、屋根の隅点１４０１がマウス１１１を介して選択される。続いて、図１４（ｂ）に示すように、隅点１４０１の隣の隅点１４０２がマウス１１１を介して選択される。すると、表示処理部１０２は、図１４（ｃ）に示すように、隅点１４０１，１４０２を結ぶ辺１４１１を生成・表示する。
続いて、図１４（ｄ）に示すように、隅点１４０２の隣の隅点１４０３がマウス１１１を介して選択される。すると、表示処理部１０２は、図１４（ｅ）に示すように隅点１４０２，１４０３を結ぶ辺１４１２を生成・表示する。
ユーザは、これを繰り返すことにより図１４（ｆ）に示すように輪郭線１４１３で示される屋根形状を指定する。輪郭線１４１３で囲まれる領域（ドットで示される範囲）がモジュール設置可能領域１５２３であり、現時点で太陽光発電モジュールの配置が可能とされている領域である。これにより、上面視した屋根の形状である屋根形状が指定される。
なお、ここでは、屋根形状を指定する手法を記載したが、屋根の内、太陽光が当たる領域を指定するようにしてもよい。
【００３７】
図１５は、図１１のステップＳ２０５における軒先の指定手順を示す図である。
図１５における軒先の指定は、図１３における軒先指定ボタン１３１２がマウス１１１によって選択入力されることにより開始する。このとき、屋根形状指定ボタン１３１１（図１３）、対象外領域指定ボタン１３１３（図１３）が非活性の状態となってもよい。
まず、図１５（ａ）に示すように、軒先の端点１５０１がマウス１１１を介して選択される。続いて、図１５（ｂ）に示すように、端点１５０１の隣の隅点１５０２がマウス１１１を介して選択される。すると、表示処理部１０２は、図１５（ｃ）に示すように、隅点１５０１，１５０２を結ぶ、太線で示される辺１５１１を生成・表示する。
続いて、図１５（ｄ）に示すように、マウス１１１を介して隅点１５０２の隣の隅点１５０３が選択される。すると、表示処理部１０２は、図１５（ｅ）に示すように隅点１５０２，１５０３を結ぶ、太線で示される辺１５１２を生成・表示する。
これを繰り返すことにより図１５（ｆ）に示すように、太線で示される折線１５１３で示される軒先が指定される。
なお、軒先は屋根の傾斜方向を特定するための情報である。
【００３８】
図１６は、図１１のステップＳ２０６における対象外領域の指定手順を示す図である。
図１６における対象外領域の指定は、図１３における対象外領域指定ボタン１３１３がマウス１１１によって選択されることにより開始する。このとき、屋根形状指定ボタン１３１１（図１３）、軒先指定ボタン１３１２（図１３）が非活性の状態となってもよい。
まず、図１６（ａ）に示すように、対象外領域の隅点１６０１がマウス１１１を介して選択される。続いて、図１６（ｂ）に示すように、隅点１６０１の隣の隅点１６０２がマウス１１１を介して選択される。すると、表示処理部１０２は、図１６（ｃ）に示すように、隅点１６０１，１６０２を結ぶ、太線で示される辺１６１１を生成・表示する。
続いて、図１６（ｄ）に示すように、マウス１１１を介して隅点１６０２の隣の隅点１６０３が選択される。すると、表示処理部１０２は、図１６（ｅ）に示すように隅点１６０２，１６０３を結ぶ、太線で示される辺１６１２を生成・表示する。
ユーザは、これを繰り返すことにより図１６（ｆ）に示すように輪郭線１６１３で示される対象外領域を指定する。太線で示される輪郭線１６１３で囲まれる領域（斜線で示される領域）が対象外領域で１６２３あり、太陽光発電モジュールを配置することのできない領域である。
【００３９】
ここで、対象外領域とした指定された領域が、図１２で指定した屋根形状(輪郭線１４１３）を越えるような場合、表示処理部１０２は、指定した対象外領域を画面上から削除したり、エラー表示などを行い、この対象外領域を無効とする。すなわち、対象外領域が、屋根形状の輪郭線１４１３をまたいで入力された場合、表示処理部１０２は、指定した対象外領域を画面上から削除したり、エラー表示などを行い、この対象外領域を無効とする。
【００４０】
図１７は、屋根形状、軒先および対象外領域が指定された屋根形状指定画面である。図１７に示すように、家屋の航空写真上に図１４〜図１６の手順で指定した屋根形状を示す輪郭線１４１３、軒先１５１３および対象外領域１６２３が指定されている。
ここで、屋根形状指定ボタン１３１１がマウス１１１を介して選択入力されることにより、これまで指定した屋根とは別の面の屋根形状を指定することが可能となる。
また、やり直しボタン１３１４がマウス１１１を介して選択入力されると、直前に指定された屋根形状、軒先、対象外領域が削除され、ユーザは削除された屋根形状、軒先、対象外領域を再指定することができる。
登録ボタン１３１４がマウス１１１を介して選択入力されると、表示処理部１０２は、拡大率や、図４のステップＳ１０２で入力された屋根情報などを基に屋根形状、軒先、対象外領域のサイズを算出し、屋根形状情報として記憶部１２１に記憶する。
キャンセルボタン１３１５がマウス１１１を介して選択入力されると、指定された屋根形状、軒先、対象外領域のすべてが削除され、ユーザは屋根形状、軒先、対象外領域を再指定することができる。
ここで、対象外領域は、三角形以上であればよく、五角形以上でもよい。
また、屋根形状、軒先、対象外領域は、本実施形態で記載したように隅点を指定する手法に限らず、屋根や、天窓などの輪郭線をマウス１１１でなぞることによって指定されてもよい。この手法で対象外領域を指定する場合、対象外領域は円形でもよい。
【００４１】
このように、五角形以上の複雑な形状を有する対象外領域を指定することによって、複雑な形状を有する対象外領域を有する屋根でも太陽光発電モジュールの配線をシミュレートすることができる。本実施形態では、対象外領域の形状が外に凸の形状を有しているが、これに限らず、部分的に凹部を有していてもよい。
また、対象外領域が、屋根をはみ出るよう指定されたときは、指定した対象外領域を画面上から削除したり、エラー表示などを行い、この対象外領域を無効とすることで、誤った対象外領域の指定を防止することができる。
衛星航空写真に限らず、家屋の形状が記載されている住宅地図、家屋の設計図でもよい。また、人工衛星４による航空写真に限らず、飛行機やヘリコプタなどによる航空写真でもよい。
【符号の説明】
【００４２】
１      太陽光発電見積もりサーバ（太陽光発電レイアウト装置）
２      航空写真サーバ
３      気象情報サーバ
４      人工衛星
１０    太陽光発電見積もりシステム
１００  処理部
１０１  情報取得部
１０２  表示処理部
１０３  レイアウト算出部
１０４  見積もり算出部
１１１  マウス
１１２  キーボード
１１３  入力部
１１４  表示部
１２１  記憶部
１７０１  屋根形状
１７０２  軒先
１７０３  対象外領域
【図１】
2013222891.tif 000003
【図２】
2013222891.tif 000004
【図３】
2013222891.tif 000005
【図４】
2013222891.tif 000006
【図５】
2013222891.tif 000007
【図６】
2013222891.tif 000008
【図７】
2013222891.tif 000009
【図８】
2013222891.tif 000010
【図９】
2013222891.tif 000011
【図１０】
2013222891.tif 000012
【図１１】
2013222891.tif 000013
【図１２】
2013222891.tif 000014
【図１３】
2013222891.tif 000015
【図１４】
2013222891.tif 000016
【図１５】
2013222891.tif 000017
【図１６】
2013222891.tif 000018
【図１７】
2013222891.tif 000019